(57)【要約】      （修正有）【課題】節水及び温度制御可能な蛇口の構造を提供する。【解決手段】長形排水孔本体に蛇口本体１０及び温度制御節水弁本体２０が設置される。蛇口本体１０にはチェンバー仕切り板が内設され、チェンバー仕切り板には水導入孔が設けられ、且つチェンバー仕切り板により蛇口本体１０内が内部チェンバー及び温水チェンバーに分画され、内部チェンバーの後側には冷水注入口１４が設けられ、内部チェンバーの上方には排水口１５が設けられる。温水チェンバーの後側に温水注入口１６が設けられる。温度制御節水弁本体２０にはロック用雌ねじ温度制御弁が内設され、ロック用雌ねじ温度制御弁は強制スイッチ２２及び温度制御固定スイッチ２３により連動されて制御されるように連結される。温度制御節水弁本体２０により温度が冷水に達していない水が回収され、温度制御節水弁本体２０により温水の温度が感知されると蛇口本体１０から導出され、きれいな冷水が回収されて再利用される。【選択図】図１
0003209807.tif 000002
【実用新案登録請求の範囲】
【請求項１】
チェンバー仕切り板には水導入孔が設けられるチェンバー仕切り板が内設され、且つチェンバー仕切り板により蛇口本体内が内部チェンバー及び温水チェンバーに分画され、前記内部チェンバーの後側には冷水注入口が設けられ、冷水注入口には冷水制御スイッチが設置され、且つ内部チェンバーの上方には排水口が設けられ、温水チェンバーの後側には温水注入口が設けられ、前記温水注入口には温水制御スイッチが設置され、且つ温水チェンバーの下方には回収水排水孔が設けられ、温水チェンバーの側辺には開口部が設けられる蛇口本体と、
膨張弾性部材が設置されるロック用雌ねじ温度制御弁が内設され、且つ熱膨張弾性部材には温度が感知されると駆動されて連結される箇所にスライドバルブスピンドルが設置され、スライドバルブスピンドルの端部にはスライドバルブスピンドルピストンが設置され、前記スライドバルブスピンドルの中段にはコネクティングロッドが枢接され、且つコネクティングロッドの端部にはコネクティングロッドピストンが設置される温度制御節水弁本体と、を備え、
前記温度制御節水弁本体は蛇口本体の温水チェンバーの側辺に設けられる開口部に設置され、ロック用雌ねじ温度制御弁のスライドバルブスピンドルに設置されるスライドバルブスピンドルピストンは蛇口本体内のチェンバー仕切り板に設けられる水導入孔に対応させ、スライドバルブスピンドルの中段に枢着されるコネクティングロッドのコネクティングロッドピストンは蛇口本体内の温水チェンバーの下方に設けられる回収水排水孔に対応させること、
を特徴とする、節水及び温度制御可能な蛇口の構造。
【請求項２】
前記温度制御節水弁本体のロック用雌ねじ温度制御弁は強制スイッチにより連動されて制御されるように連結されることを特徴とする、請求項１に記載の節水及び温度制御可能な蛇口の構造。
【請求項３】
前記温度制御節水弁本体のロック用雌ねじ温度制御弁は温度制御固定スイッチにより連動されて制御されるように連結されることを特徴とする、請求項１に記載の節水及び温度制御可能な蛇口の構造。
【請求項４】
前記蛇口本体の回収水排水孔は回収パイプに結合されるように設置されることを特徴とする、請求項１に記載の節水及び温度制御可能な蛇口の構造。
【請求項５】
前記蛇口本体の開口部の内側にはロック用雌ねじが設置され、温度制御節水弁本体はロック用雌ねじ温度制御弁の一側の周縁に設置される結合用雄ねじに対応させ、温度制御節水弁本体の結合用雄ねじは蛇口本体の開口部に設置されるロック用雌ねじに相互に螺合されることを特徴とする、請求項１に記載の節水及び温度制御可能な蛇口の構造。
【請求項６】
前記ロック用雌ねじ温度制御弁の熱膨張弾性部材はパラフィン／黄銅混合物の熱膨張及び凝縮の原理で製造され、熱膨張弾性部材により温度上昇が感知されると、熱膨張によりスライドバルブスピンドルが押動されると同時に前記コネクティングロッドが連動されることを特徴とする、請求項１に記載の節水及び温度制御可能な蛇口の構造。
【考案の詳細な説明】
【技術分野】
【０００１】
本考案は、温度制御蛇口の構造に関し、更に詳しくは、節水機能を有する技術分野に応用される節水及び温度制御可能な蛇口の構造に関する。
【背景技術】
【０００２】
現在、気候の変動に伴い、土地を潤す水源及び貯水池から水を有効的に供給することが難しくなっており、ゆえに節水が重要な課題となっている。従来の蛇口構造は図８に示すように、蛇口３０が冷水端３１及び温水端３２を備える。
【考案の概要】
【考案が解決しようとする課題】
【０００３】
しかしながら、上述の前記蛇口３０の温水端３２が開かれた後に、水道管から給湯器までの間に距離があるため、水の出始めでは通常冷水になってしまい、使用者は前記出始めの冷水を使わずに流し、温水が出てから使用している。但し、前記出始めの冷水は未使用のきれいな水源から導出された後に排水管から排出されるため、水資源の浪費に繋がった。現在、水資源が不足する状態が続いているため、水資源の浪費を減少させる必要がある。そこで、本考案者は上記の欠点が改善可能と考え、鋭意検討を重ねた結果、合理的設計で上記の課題を効果的に改善する本考案の提案に到った。
【０００４】
本考案は、このような従来の問題に鑑みてなされたものである。上記課題解決のため、本考案は、従来の温度制御蛇口構造では未使用の冷水を回収出来ず、水資源を浪費してしまう問題を解決させるための節水及び温度制御可能な蛇口の構造を提供することを目的とする。
【課題を解決するための手段】
【０００５】
上述した課題を解決し、目的を達成するために、本考案に係る節水及び温度制御可能な蛇口の構造は、蛇口本体及び温度制御節水弁本体を備える。前記蛇口本体には水導入孔が設けられるチェンバー仕切り板が内設され、且つチェンバー仕切り板により蛇口本体内が内部チェンバー及び温水チェンバーに分画される。前記内部チェンバーの後側には冷水注入口が設けられ、冷水注入口には冷水制御スイッチが設置される。内部チェンバーの上方には排水口が設けられ、温水チェンバーの後側には温水注入口が設けられ、前記温水注入口には温水制御スイッチが設置される。温水チェンバーの下方には回収水排水孔が設けられ、前記回収水排水孔は回収パイプに結合されるように設置され、温水チェンバーの側辺には開口部が設けられ、前記開口部の内側にはロック用雌ねじが設置される。また、温度制御節水弁本体にはロック用雌ねじ温度制御弁が内設され、ロック用雌ねじ温度制御弁は強制スイッチ及び温度制御固定スイッチにより連動されて制御されるように連結され、且つ温度制御節水弁本体はロック用雌ねじ温度制御弁の一側の周縁に設置される結合用雄ねじに対応させる。前記ロック用雌ねじ温度制御弁には熱膨張弾性部材が設置され、且つ熱膨張弾性部材には温度が感知されると駆動されて連結される箇所にスライドバルブスピンドルが設置され、スライドバルブスピンドルの端部にはスライドバルブスピンドルピストンが設置され、前記スライドバルブスピンドルの中段にはコネクティングロッドが枢接される。コネクティングロッドの端部にはコネクティングロッドピストンが設置され、前記ロック用雌ねじ温度制御弁の熱膨張弾性部材はパラフィン／黄銅の混合物の熱膨張及び凝縮の原理で製造され、熱膨張弾性部材により温度上昇が感知されると、熱膨張によりスライドバルブスピンドルが押動されると同時に前記コネクティングロッドが連動される。温度制御節水弁本体は蛇口本体の温水チェンバーの側辺に設けられる開口部に設置され、温度制御節水弁本体の結合用雄ねじは蛇口本体の開口部に設置されるロック用雌ねじに相互に螺合される。ロック用雌ねじ温度制御弁のスライドバルブスピンドルに設置されるスライドバルブスピンドルピストンは蛇口本体内のチェンバー仕切り板に設けられる水導入孔に対応させ、スライドバルブスピンドルの中段に枢着されるコネクティングロッドのコネクティングロッドピストンは蛇口本体内の温水チェンバーの下方に設けられる回収水排水孔に対応させる。
【考案の効果】
【０００６】
温水制御スイッチが制御されることにより温水が温水注入口から温水チェンバーに導入され、温度制御節水弁本体のロック用雌ねじ温度制御弁に設置される熱膨張弾性部材が温水に入れられて温度感知を行う。温度が低い場合、スライドバルブスピンドルのスライドバルブスピンドルピストンがチェンバー仕切り板に設けられる水導入孔に当接され、スライドバルブスピンドルに枢接されるコネクティングロッドに設置されるコネクティングロッドピストンが当接される温水チェンバーに設けられる回収水排水孔から脱離され、温度が冷水に達していない水が回収パイプに導水されて回収される。温度が上昇すると、スライドバルブスピンドルのスライドバルブスピンドルピストンが当接されるチェンバー仕切り板に設けられる水導入孔から脱離され、スライドバルブスピンドルに枢接されるコネクティングロッドに設置されるコネクティングロッドピストンが当接される温水チェンバーに設けられる回収水排水孔により、設定温度に達した温水が内部チェンバーに導入され、排水口から温水が導出され、きれいな冷水が回収されて再利用され、これにより環境保護及び節水の効果が達成される。
【図面の簡単な説明】
【０００７】
【図１】本考案の蛇口が組合せられる状態を示す外観斜視図である。
【図２】本考案の蛇口が組合せられる状態を示す斜視の分解図である。
【図３】本考案の蛇口の側面が部分断面状態を示す概略図である。
【図４】本考案の蛇口の正面が温度制御節水弁本体により温水の流動状態を作動させる部分断面状態を示す参考図である。
【図５】本考案の蛇口の正面が温度制御節水弁本体により冷水の流動状態を作動させる部分断面状態を示す参考図である。
【図６】本考案の蛇口の正面が温度制御節水弁本体により強制流動状態を作動させる部分断面状態を示す参考図である。
【図７】本考案の蛇口の正面が流動冷水状態を示す参考図である。
【図８】本考案の従来の蛇口構造を示す部分の傾斜分解図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【０００９】
（第１実施形態）
以下、本考案の具体的な実施形態を図１〜７に基づいて説明する。まず、図１乃至図３はそれぞれ本考案に係る節水及び温度制御可能な蛇口の構造が組合せられる状態を示す外観斜視図、斜視の分解図、及び側面が部分断面状態を示す概略図である。節水及び温度制御可能な蛇口の構造は蛇口本体１０及び温度制御節水弁本体２０を備える。以下に説明する。
【００１０】
前記蛇口本体１０にはチェンバー仕切り板１１が内設され、チェンバー仕切り板１１には水導入孔１１０が設けられ、且つチェンバー仕切り板１１により蛇口本体１０内が内部チェンバー１２及び温水チェンバー１３に分画される。前記内部チェンバー１２の後側には冷水注入口１４が設けられ、冷水注入口１４には冷水制御スイッチ１４０が設置され、且つ内部チェンバー１２の上方には排水口１５が設けられる。温水チェンバー１３の後側には温水注入口１６が設けられ、前記温水注入口１６には温水制御スイッチ１６０が設置され、且つ温水チェンバー１３の下方には回収水排水孔１７が設けられる。前記回収水排水孔１７は回収パイプ１７０に結合されるように設けられ、温水チェンバー１３の側辺には開口部１８が設けられ、前記開口部１８の内側にはロック用雌ねじ１８０が設置される。
【００１１】
前記温度制御節水弁本体２０にはロック用雌ねじ温度制御弁２１が内設され、ロック用雌ねじ温度制御弁２１は強制スイッチ２２及び温度制御固定スイッチ２３により連動されて制御されるように連結される。また、温度制御節水弁本体２０はロック用雌ねじ温度制御弁２１の一側の周縁に設置される結合用雄ねじ２４に対応させ、前記ロック用雌ねじ温度制御弁２１には熱膨張弾性部材２１０が設置され、且つ熱膨張弾性部材２１０は温度が感知されると駆動されて連結される箇所にスライドバルブスピンドル２１１が設置され、スライドバルブスピンドル２１１の端部にはスライドバルブスピンドルピストン２１１Ａが設置される。前記スライドバルブスピンドル２１１の中段にはコネクティングロッド２１２が枢接され、且つコネクティングロッド２１２の端部にはコネクティングロッドピストン２１２Ａが設置される。前記ロック用雌ねじ温度制御弁２１の熱膨張弾性部材２１０はパラフィン／黄銅混合物の熱膨張及び凝縮の原理で製造され、熱膨張弾性部材２１０により温度上昇が感知されると、熱膨張によりスライドバルブスピンドル２１１が押動されると同時に前記コネクティングロッド２１２が連動される。温度制御節水弁本体２０は蛇口本体１０の温水チェンバー１３の側辺に設けられる開口部１８に設置され、結合用雄ねじ２４は蛇口本体１０の開口部１８に設置されるロック用雌ねじ１８０に相互に螺合され、且つロック用雌ねじ温度制御弁２１のスライドバルブスピンドル２１１に設置されるスライドバルブスピンドルピストン２１１Ａは、蛇口本体１０内のチェンバー仕切り板１１に設けられる水導入孔１１０に対応させる。スライドバルブスピンドル２１１の中段に枢着されるコネクティングロッド２１２のコネクティングロッドピストン２１２Ａは、蛇口本体１０内の温水チェンバー１３の下方に設けられる回収水排水孔１７に対応させる。
【００１２】
上述の構造の組合せにより本考案の節水及び温度制御可能な蛇口の構造が完成する。図１乃至図７はそれぞれ本考案に係る節水及び温度制御可能な蛇口の構造が組合せられる状態を示す外観斜視図、斜視の分解図、側面が部分断面状態を示す概略図、正面が温度制御節水弁本体により温水の流動状態を作動させる部分断面状態を示す参考図、正面が温度制御節水弁本体により冷水の流動状態を作動させる部分断面状態を示す参考図、正面が温度制御節水弁本体により強制流動状態を作動させる部分断面状態を示す参考図、及び正面が流動冷水状態を示す参考図である。
【００１３】
更に詳しくは、温度制御節水弁本体２０は蛇口本体１０の温水チェンバー１３の側辺に設けられる開口部１８に設置され、温度制御節水弁本体２０の結合用雄ねじ２４は蛇口本体１０の開口部１８に設置されるロック用雌ねじ１８０に相互に螺合される。ロック用雌ねじ温度制御弁２１のスライドバルブスピンドル２１１に設置されるスライドバルブスピンドルピストン２１１Ａは、蛇口本体１０内のチェンバー仕切り板１１に設けられる水導入孔１１０に対応させ、スライドバルブスピンドル２１１の中段に枢着されるコネクティングロッド２１２のコネクティングロッドピストン２１２Ａは、蛇口本体１０内の温水チェンバー１３の下方に設けられる回収水排水孔１７に対応させる。制御冷水制御スイッチ１４０により冷水が冷水注入口１４から内部チェンバー１２に導入され、且つ排水口１５から冷水が導出され、温水制御スイッチ１６０が温水を温水注入口１６から温水チェンバー１３に導入させるように制御される。温度制御節水弁本体２０の温度制御固定スイッチ２３が設定され、ロック用雌ねじ温度制御弁２１に設置される熱膨張弾性部材２１０が温水に入れられて温度感知を行う。温度が低い場合、スライドバルブスピンドル２１１のスライドバルブスピンドルピストン２１１Ａがチェンバー仕切り板１１に設けられる水導入孔１１０に当接され、スライドバルブスピンドル２１１に枢接されるコネクティングロッド２１２に設置されるコネクティングロッドピストン２１２Ａが当接される温水チェンバー１３に設けられる回収水排水孔１７から脱離され、温度が冷水に達していない水が回収パイプ１７０に導水されて回収される。温度が上昇すると、スライドバルブスピンドル２１１のスライドバルブスピンドルピストン２１１Ａが当接されるチェンバー仕切り板１１に設けられる水導入孔１１０から脱離され、スライドバルブスピンドル２１１に枢接されるコネクティングロッド２１２に設置されるコネクティングロッドピストン２１２Ａに当接される温水チェンバー１３に設けられる回収水排水孔１７が設定温度に達した温水を内部チェンバー１２に導入させ、排水口１５から温水が導出され、きれいな冷水が回収されて再利用される。ロック用雌ねじ温度制御弁２１が故障した場合、強制スイッチ２２を操作して強制的に排水の制御を行い、環境保護及び節水の効果を達成させる。
【００１４】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００１５】
１０ 蛇口本体
１１  チェンバー仕切り板
１１０  水導入孔
１２  内部チェンバー
１３  温水チェンバー
１４  冷水注入口
１４０  冷水制御スイッチ
１５  排水口
１６  温水注入口
１６０  温水制御スイッチ
１７  回収水排水孔
１７０  回収パイプ
１８  開口部
１８０  ロック用雌ねじ
２０  温度制御節水弁本体
２１  ロック用雌ねじ温度制御弁
２１０  熱膨張弾性部材
２１１  スライドバルブスピンドル
２１１Ａ  スライドバルブスピンドルピストン
２１２  コネクティングロッド
２１２Ａ  コネクティングロッドピストン
２２  強制スイッチ
２３  温度制御固定スイッチ
２４  結合用雄ねじ
３０  蛇口
３１  冷水端
３２  温水端
【図１】
0003209807.tif 000003
【図２】
0003209807.tif 000004
【図３】
0003209807.tif 000005
【図４】
0003209807.tif 000006
【図５】
0003209807.tif 000007
【図６】
0003209807.tif 000008
【図７】
0003209807.tif 000009
【図８】
0003209807.tif 000010